(57)【要約】      （修正有）【課題】トレー上面におけるポケットの内部において半導体集積回路を確実に保持することができ、また、トレー自体の重さもある程度軽くできる半導体集積回路用トレーを提供できるようにした。【解決手段】少なくとも上面に、基部が広がるテーパー状の断面形状を有する縦横の仕切り枠２で矩形に区画された半導体集積回路の収納ポケット３を多数備えてなる半導体集積回路用収納トレー１において、仕切り枠２を、トレー１の上面におけるポケット３の前後左右辺部における一辺（辺３ａ）の中央部と、この辺に対向する対向辺（辺３ｂ）とこの対向辺（辺３ｂ）に各々隣接する各隣接辺（辺３ｃ、辺３ｄ）が隣接するコーナー部に形成する。【選択図】図５
2008235294.tif 000002
【特許請求の範囲】
【請求項１】
少なくとも上面に、基部が広がるテーパー状の断面形状を有する縦横の仕切り枠で矩形に区画された半導体集積回路の収納ポケットを多数備えてなる半導体集積回路用収納トレーにおいて、前記仕切り枠を、ポケットの前後左右辺部における一辺の中央部近傍と、この辺に対向する対向辺の両端部近傍に各々と、この対向辺の両端部に各々隣接する各隣接辺における対向辺側の端部近傍に形成してなる半導体集積回路用トレー。
【請求項２】
前記対向辺の両端部と、この両端部に各々隣接する各隣接辺の対向辺側の端部近傍に形成する仕切り枠を一体にして略Ｌ字状に形成してなる請求項１に記載の半導体集積回路用トレー。
【請求項３】
前記ポケットの内底面に凹部を形成し、この凹部と前記仕切り枠の基部との間に半導体集積回路の底面周縁を支持する支持段部を設けてなる請求項１に記載の半導体集積回路用トレー。
【請求項４】
前記ポケットにおける一辺の中央部近傍に形成される仕切り枠の左右長さを、この辺に対向する対向辺の両端部近傍に各々形成される左右仕切り枠の間における空間長さより僅かに短くしてなる請求項１に記載の半導体集積回路用トレー。
【請求項５】
前記各隣接辺における対向辺側の端部近傍に形成される仕切り枠の左右長さを、この隣接辺長さの二分の一以下にしてなる請求項１に記載の半導体集積回路用トレー。
【請求項６】
前記ポケットの下方における下面に、ポケットの前後左右辺部に形成する仕切り枠と略相似なる矩形の下向き枠を、ポケットに形成する仕切り枠の位置に対して水平に１８０度回転させた位置に設けてなる請求項１に記載の半導体集積回路用トレー。
【請求項７】
前記トレーにおいて、同じ形状の仕切り枠、ポケット、下向き枠を備えるトレーを、このトレーの上下面を対向させて多段重ねられるように構成してなる請求項１に記載の半導体集積回路用トレー。
【発明の詳細な説明】
【技術分野】
【０００１】
本発明は半導体集積回路を収納するためのトレーに関する。
【背景技術】
【０００２】
半導体集積回路は、例えば、特許文献１に開示される構成のトレーに収納して保管や運搬をしている。
【０００３】
このトレーは、トレー上面の縦横方向に配設した仕切り枠で矩形に区画してなる複数のポケットに、各１個ずつ半導体集積回路を収納するようになっている。
【０００４】
従来、トレー上面におけるポケットの形状は、図９〜図１１に示すような形状になっているが、図９に示すポケット３は、収納された半導体集積回路を確実に保持できるもののポケット３の前後左右辺部の大部分に仕切り枠２を形成しているため、トレーを多段積み重ねて運搬する場合は、半導体集積回路の重さと相俟って相当重くなっていた。
【０００５】
また、図１０、図１１に示すポケット３は、トレーの自重をある程度軽くできるが、図１０に示すポケット３は、ポケットの前後左右辺部における各辺の中央部近傍に各々仕切り枠２を形成し、また、図１１に示すポケット３は、ポケットの対向するコーナー部に略Ｌ字状に仕切り枠２を形成しているため、収納された導体集積回路が確実に保持されない恐れがあった。
【０００６】
【特許文献１】特開平１１−１４５３１５号公報（第１〜７頁、図１〜７）
【発明の開示】
【発明が解決しようとする課題】
【０００７】
本発明は、トレー上面におけるポケットの内部において半導体集積回路を確実に保持することができ、また、トレー自体の重さもある程度軽くできる半導体集積回路用トレーを提供できるようにした。
【課題を解決するための手段】
【０００８】
上述した課題を解決するために、本発明に係る半導体集積回路用トレーは、少なくとも上面に、基部が広がるテーパー状の断面形状を有する縦横の仕切り枠で矩形に区画された半導体集積回路の収納ポケットを多数備えてなる半導体集積回路用収納トレーにおいて、前記仕切り枠を、ポケットの前後左右辺部における一辺の中央部近傍と、この辺に対向する対向辺の両端部近傍に各々と、この対向辺の両端部に各々隣接する各隣接辺における対向辺側の端部近傍に形成したものとしてある。
【０００９】
また前記対向辺の両端部と、この両端部に各々隣接する各隣接辺の対向辺側の端部近傍に形成する仕切り枠を一体にして略Ｌ字状に形成したものとしてある。
【００１０】
また前記ポケットの内底面に凹部を形成し、この凹部と前記仕切り枠の基部との間に半導体集積回路の底面周縁を支持する支持段部を設けたものとしてある。
【００１１】
また前記ポケットにおける一辺の中央部近傍に形成される仕切り枠の左右長さを、この辺に対向する対向辺の両端部近傍に各々形成される左右仕切り枠の間における空間長さより僅かに短くしたものとしてある。
【００１２】
また前記各隣接辺における対向辺側の端部近傍に形成される仕切り枠の左右長さを、この隣接辺長さの二分の一以下にしたものとしてある。
【００１３】
また前記ポケットの下方における下面に、ポケットの前後左右辺部に形成する仕切り枠と略相似なる矩形の下向き枠を、ポケットに形成する仕切り枠の位置に対して水平に１８０度回転させた位置に設けたものとしてある。
【００１４】
さらに、前記トレーにおいて、同じ形状の仕切り枠、ポケット、下向き枠を備えるトレーを、このトレーの上下面を対向させて多段重ねられるように構成したものとしてある。
【発明の効果】
【００１５】
本発明の半導体集積回路用トレーによれば、半導体集積回路をトレー上面におけるポケットの内部に収納した際、半導体集積回路は、トレーにおけるポケットの前後左右辺部における一辺の中央部分に形成する仕切り枠と、この辺に対向する対向辺の両端部とこの両端部に各々隣接する各隣接辺における対向辺側の端部に渡って略Ｌ字状に形成する仕切り枠により保持される。
【００１６】
したがって、ポケット内の半導体集積回路は、半導体集積回路における一辺の両コーナー部分と、この辺に対向する対向辺における中央部分の３か所が前記仕切り枠により支持されるので、半導体集積回路がポケット内で動いた場合でも、
前記半導体集積回路の両コーナー部分を保持する略Ｌ字状の各仕切り枠と、前記半導体集積回路の辺中央部分を保持する仕切り枠により、半導体集積回路を安定して保持できる。
【００１７】
そして、前述のように半導体集積回路を３か所で支持するので、ポケットの前後左右辺部に形成する仕切り枠の左右長さも、半導体集積回路がポケット内で動いた際、ポケットにおける所定の辺部に形成する仕切り枠の左右端部から半導体集積回路のコーナー部分が外れない程度の左右長さで形成すればよく、したがって、トレーに形成する仕切り枠の左右長さ短くできるので、トレー自体の重さもある程度軽くできる。
【００１８】
さらに、トレーどうしを上下に積み重ねた際、上下に隣り合うトレーの向きが１８０°回転した位置であると上側トレー下面の下向き枠が下側トレー上面の仕切り枠に接触してトレーどうしの嵌合ができなくなるので、トレーのポケット以外の部分にトレーの方向性を規定する突起などの手段を別途設けなくても所定の方向にのみ確実に積み重ねられ、したがって半導体集積回路の方向性を正確に維持することができるという利点もある。
【発明を実施するための最良の形態】
【００１９】
以下、本発明の半導体集積回路用トレーを添付図面に基づいて説明する。
実施例に示すトレー１は、例えばボールグリッドアレイ型の半導体集積回路８を収納するものとしてあり、またトレー１は、上下に複数積み重ねて使用できるようにしてあって、トレー１を複数積み重ねて使用した場合、トレー１の上面は収納容器として機能し、下面は収納容器の蓋として機能するようにしている。
【００２０】
そして、トレー１を複数積み重ねて使用する場合は、トレー１の枠辺１ａにおける上下両面に一対で形成している突部、上面は突部１ｆ、下面は突部１ｇであり、トレー１を複数積み重ねた際、上段側トレー１の枠辺１ａにおける下面に有する突部１ｇが、下段側トレー１の枠辺１ａにおける上面に有する突部１ｆの外側に位置して突部１ｆと突部１ｆが係合し、トレー１を安定よく積み重ねることができるようにしている。
【００２１】
また、トレー１の左右に持ち手１ｂを設けているとともに、枠辺１ａの前縁にトレー１の方向性を見分けるための切欠き１ｃを形成している。
【００２２】
さらに、トレー１は軽量化から本体部分の肉抜きをしていて、半導体集積回路８を収納するための各ポケット３は、枠辺１ａに接続する各支持手１ｄや各ポケット３間に配設している各支持手１ｄよって支持されている。また、本実施例に示す本体部分の肉抜き形態は一例である。
図１、図２中の符号１ｅは、トレー１の軽量化により生じた開口である。
【００２３】
そして、半導体集積回路８を収納する各ポケット３は、トレー１上面に、基部が広がるテーパー状の断面形状を有する仕切り枠２を縦横方向に配設することによりトレー１上面を矩形に区画し、この区画内すなわち縦横の仕切り枠２で区画された内部をポケット３にしている。
【００２４】
そして、トレー１上面におけるポケット３の前後左右辺部における仕切り枠２の形成部位は、図５に示すように、ポケット３の前後左右辺部における一辺（辺３ａ）の中央部と、この辺（辺３ａ）に対向する対向辺（辺３ｂ）の両端部に各々と、この対向辺（辺３ｂ）の両端部に各々隣接する各隣接辺（辺３ｃ、辺３ｄ）における対向辺（辺３ｂ）側の端部に形成していて、また、本実施例で示している仕切り枠２は、前記対向辺（辺３ｂ）の両端部と、この両端部に各々隣接する各隣接辺（辺３ｃ、辺３ｄ）の対向辺（辺３ｂ）側の端部に形成する仕切り枠を一体にしてＬ字状に形成している。
【００２５】
さらに、図２に示すように、トレー１上面におけるポケット３の下方におけるトレー１下面にも、トレー１上面におけるポケット３の前後左右辺部に形成する仕切り枠２と略相似なる矩形の下向き枠２ａを、トレー１上面におけるポケット３の仕切り枠２の位置に対して水平に１８０度回転させた位置に設ける場合もあり、このように構成するとトレーどうしを積み重ねた際に、上側トレーの下向き枠２ａが下側トレーの仕切り枠２の間に嵌り込んで重ねられる。
【００２６】
また、本実施例に示すポケット３の前後左右辺部における一辺（辺３ａ）の中央部に形成する仕切り枠２の左右長さを、この辺（辺３ａ）に対向する対向辺（辺３ｂ）の両端部に各々形成する各仕切り枠２の間における空間長さより僅かに短くしている。
【００２７】
さらに、前記各隣接辺（辺３ｃ、辺３ｄ）端部に形成する各仕切り枠２の左右長さを、各隣接辺（辺３ｃ、辺３ｄ）長さの二分の一以下にしている。
【００２８】
また、本実施例ではポケット３内の中央（図５参照）に半導体集積回路８の底面よりも若干小なる略相似形の陥凹部５を設けているものを示していて、陥凹部５の上縁から内底６までの深さは、半導体集積回路８の底面に有する端子８ａの底面からの突出長さよりも深くなっている（図７、図８参照）。
しかしながら、この陥凹部５は、半導体集積回路８の形態により形成しない場合もある。
【００２９】
そして、陥凹部５の上縁と仕切り枠２の基部との間には、半導体集積回路８の底面周縁を支持するための支持段部４を形成している。
【００３０】
そして、図３、図４に示すように、ポケット３の上部開口は半導体集積回路８の底面寸法よりも大なる開口寸法となっているとともに、ポケット３の上部開口、すなわちポケット３を形成する仕切り枠２の内側は、仕切り枠２の内上縁から支持段部４に向かって下り斜面の呼込みガイド７を形成していて、この呼込みガイド７によりポケット３の上方より収納される半導体集積回路８を、ポケット３内に誘導しやすいようにしている。
【００３１】
また、本実施例に示す呼込みガイド７は、上方部分の斜面よりも下方部分の斜面の方の傾斜角度を大にするものを示していて、この呼込みガイド７の上方部分の斜面における傾斜角度の具体的数値は、支持段部４の上面に対し約７０度の上り傾斜で、呼込みガイド７の下方部分の斜面における傾斜角度の具体的数値は、支持段部４の上面に対し約８０度にしている。
【００３２】
実施例における図中の符号４ａは、下向き枠２ａによりトレー１上面のポケット３と略相似なる矩形に区画され、かつポケット３とほぼ同じ形態の収容部内に形成される支持段部、５ａは陥凹部、６ａは内底、７ａは呼込みガイドである。
【００３３】
なお、本実施例においてはトレーに収納する半導体集積回路がボールグリッドアレータイプのものであるとしているが、半導体集積回路の構成には種々のものがあり、例えばピングリッドアレイタイプなど他の態様の半導体集積回路にも適用することができる。
【００３４】
また、前記仕切り枠２はそれぞれ連続する形状のものでなく不連続に形成する場合もある。具体的には、半導体集積回路のコーナー部分を囲む略Ｌ字状の仕切り枠２を不連続に形成し、半導体集積回路のコーナー近傍の辺を囲むがコーナーそのものは囲まない形状とする場合もある。
【図面の簡単な説明】
【００３５】
【図１】本発明に係る半導体集積回路用トレーの一例を示す平面図。
【図２】図１の半導体集積回路用トレーの下面を示す平面図。
【図３】図１中に示すＡ−Ａ部分の拡大断面図。
【図４】図１中に示すＢ−Ｂ部分の拡大断面図。
【図５】半導体集積回路用トレーにおけるポケットの拡大平面図。
【図６】半導体集積回路を収納したポケットの拡大平面図。
【図７】半導体集積回路を収納したポケットの拡大断面図。
【図８】半導体集積回路を収納したポケットの拡大断面図。
【図９】従来の収納用ポケットを示す平面図。
【図１０】従来の収納用ポケットを示す平面図。
【図１１】従来の収納用ポケットを示す平面図。
【符号の説明】
【００３６】
１  トレー
１ａ  枠辺
１ｂ  持ち手
１ｃ  切欠き
１ｄ  支持手
１ｅ  開口
１ｆ  突部
１ｇ  突部
２  仕切り枠
２ａ  下向き枠
３  ポケット
３ａ  辺
３ｂ  辺
３ｃ  辺
３ｄ  辺
４  支持段部
４ａ  支持段部
５  陥凹部
５ａ  陥凹部
６  内底
６ａ  内底
７  呼込みガイド
７ａ  呼込みガイド
８  半導体集積回路
８ａ  端子
【図１】
2008235294.tif 000003
【図２】
2008235294.tif 000004
【図３】
2008235294.tif 000005
【図４】
2008235294.tif 000006
【図５】
2008235294.tif 000007
【図６】
2008235294.tif 000008
【図７】
2008235294.tif 000009
【図８】
2008235294.tif 000010
【図９】
2008235294.tif 000011
【図１０】
2008235294.tif 000012
【図１１】
2008235294.tif 000013